(57)【要約】【課題】小型化に適したものとすること。【解決手段】実施形態の照明装置は、光源と、第１の光学素子と、第２の光学素子とを備える。前記第１の光学素子は、前記光源からの光の配光を制御する。前記第２の光学素子は、前記第１の光学素子から出射した光を投影する。前記第１の光学素子は、前記光源に対向する入射面の光軸に直交する第１の方向のサイズが、前記第２の光学素子に対向する出射面の前記第１の方向のサイズ以上である。【選択図】図１
2020170687.tif 000002
【特許請求の範囲】
【請求項１】
光源と、
前記光源からの光の配光を制御する第１の光学素子と、
前記第１の光学素子から出射した光を投影する第２の光学素子と、を備え、
前記第１の光学素子は、前記光源に対向する入射面の光軸に直交する第１の方向のサイズが、前記第２の光学素子に対向する出射面の前記第１の方向のサイズ以上である、
照明装置。
【請求項２】
前記第１の光学素子は、前記光源に対向する入射面の光軸に直交する第１の方向のサイズよりも、前記第２の光学素子に対向する出射面の前記第１の方向のサイズが小さい、
請求項１に記載の照明装置。
【請求項３】
前記第１の光学素子の出射面は、光軸および前記第１の方向と直交する第２の方向において、前記第２の光学素子の焦点に対応して湾曲している、
請求項１または２に記載の照明装置。
【請求項４】
前記第１の光学素子は、前記出射面の一部にプリズム加工された凹凸を有する、
請求項３に記載の照明装置。
【請求項５】
前記出射面の両端側には三角プリズムの凹凸が形成され、内側には円弧状プリズムの凹凸が形成される、
請求項４に記載の照明装置。
【請求項６】
前記第１の光学素子の出射面は、前記第１の方向における一端または両端に曲面状の切欠を有する、
請求項１〜５のいずれか一つに記載の照明装置。
【請求項７】
前記光源は複数であり、該複数の光源は前記第１の光学素子の入射面に対向して分散して配置される、
請求項１〜６のいずれか一つに記載の照明装置。
【請求項８】
前記複数の光源は、個別に光量が制御される、
請求項７に記載の照明装置。
【請求項９】
前記第１の光学素子の出射面は、前記第１の方向と直交する第２の方向に対して、前記第１の方向の厚みが変えられている、
請求項１〜８のいずれか一つに記載の照明装置。
【請求項１０】
前記第１の光学素子の前記光源に対向する入射面と前記第２の光学素子に対向する出射面とを結ぶ側面は、光軸に沿って直線状、外側に張り出した形状または内側に絞られた形状に形成される、
請求項１〜９のいずれか一つに記載の照明装置。
【請求項１１】
前記第１の光学素子の前記光源に対向する入射面と前記第２の光学素子に対向する出射面とを結ぶ側面は、前記第２の光学素子側の側面と前記光源側の側面とを有し、
前記第２の光学素子側の側面は、光軸に沿って直線状、外側に張り出した形状または内側に絞られた形状に形成され、
前記光源側の側面は、前記光源側に向かって直線状、外側に張り出した形状または内側に絞られた形状で幅が狭くなるよう形成される、
請求項１〜９のいずれか一つに記載の照明装置。
【請求項１２】
前記第２の光学素子側の側面には、円弧状プリズムの凹凸が形成される、
請求項１１に記載の照明装置。
【発明の詳細な説明】
【技術分野】
【０００１】
本発明は、照明装置に関する。
【背景技術】
【０００２】
自動車のヘッドランプ等として用いられる照明装置として、ＬＥＤ（発光ダイオード）等による小型の光源が用いられるようになってきている（例えば、特許文献１〜３を参照）。
【０００３】
一方、照明装置の小型化のニーズは強く、近年の自動車のデザイントレンドとしても、ヘッドランプの小型化が顕著である。照明装置の大きさは、光源のサイズと、レンズ等の光学素子のサイズとに依存しており、光源のサイズがゼロに近いほど、光学素子のサイズを小さくして照明装置を小型化することができる。これは、光源の形が投影されることから、同じサイズの投影を得るために必要となる光学素子のサイズは、光源のサイズが小さければ、それに応じて小さくすることができることによる。
【先行技術文献】
【特許文献】
【０００４】
【特許文献１】特開２０１８−５５９０７号公報
【特許文献２】特許第６３３３４７０号公報
【特許文献３】特開２０１７−２１２１１２号公報
【発明の概要】
【発明が解決しようとする課題】
【０００５】
しかしながら、実際の光源のサイズはゼロではなく、例えば、車載用で使用されている大出力タイプのＬＥＤのサイズは１ｍｍ角以上であり、投影光について法規等を満足するために必要とされる光学素子のサイズが大型化し、照明装置の小型化が困難であった。
【０００６】
本発明は、上記に鑑みてなされたものであって、小型化に適した照明装置を提供することを目的とする。
【課題を解決するための手段】
【０００７】
上述した課題を解決し、目的を達成するために、本発明の一態様に係る照明装置は、光源と、第１の光学素子と、第２の光学素子とを備える。前記第１の光学素子は、前記光源からの光の配光を制御する。前記第２の光学素子は、前記第１の光学素子から出射した光を投影する。前記第１の光学素子は、前記光源に対向する入射面の光軸に直交する第１の方向のサイズが、前記第２の光学素子に対向する出射面の前記第１の方向のサイズ以上である。
【０００８】
本発明の一態様に係る照明装置は、小型化に適したものとすることができる。
【図面の簡単な説明】
【０００９】
【図１】図１は、第１の実施形態に係る照明装置の構成例を示す図（１）である。
【図２】図２は、第１の実施形態に係る照明装置の構成例を示す図（２）である。
【図３】図３は、第１の実施形態に係る照明装置の構成例を示す図（３）である。
【図４】図４は、アウターレンズ側から見たインナーレンズの端面図である。
【図５】図５は、照明装置による投影光の例を示す図である。
【図６】図６は、第２の実施形態に係る照明装置の構成例を示す図である。
【図７】図７は、第３の実施形態に係る照明装置の構成例を示す図である。
【図８】図８は、第４の実施形態に係る照明装置の構成例を示す図（１）である。
【図９】図９は、第４の実施形態に係る照明装置の構成例を示す図（２）である。
【図１０】図１０は、第４の実施形態による投影光への影響の説明図である。
【図１１】図１１は、第５の実施形態におけるインナーレンズの構成例を示す端面図である。
【図１２】図１２は、第５の実施形態による投影光への影響の説明図である。
【図１３】図１３は、第６の実施形態におけるインナーレンズの構成例を示す端面図である。
【図１４】図１４は、第７の実施形態に係る照明装置１の構成例を示す図である。
【図１５】図１５は、第８の実施形態に係る照明装置１の構成例を示す図である。
【図１６】図１６は、照明装置の配置例を示す図である。
【図１７】図１７は、インナーレンズの側面に凹凸がない場合とある場合との投影光の例を示す図である。
【図１８】図１８は、インナーレンズの側面に凹凸がない場合とある場合との投影光の角度に対する強度の例を示す図である。
【図１９】図１９は、第９の実施形態における光源を駆動する回路構成例を示す図である。
【図２０】図２０は、光源から出た光の進路の例を示す図である。
【図２１】図２１は、第９の実施形態による投影光への影響の説明図である。
【発明を実施するための形態】
【００１０】
以下、実施形態に係る照明装置について図面を参照して説明する。なお、この実施形態によりこの発明が限定されるものではない。また、図面における各要素の寸法の関係、各要素の比率などは、現実と異なる場合がある。図面の相互間においても、互いの寸法の関係や比率が異なる部分が含まれている場合がある。また、１つの実施形態や変形例に記載された内容は、原則として他の実施形態や変形例にも同様に適用される。
【００１１】
（第１の実施形態）
図１〜図３は、第１の実施形態に係る照明装置１の構成例を示す図であり、図１は照明装置１の主要部の斜視図、図２は照明装置１の主要部の側面図、図３は照明装置１の主要部の上面図（平面図）である。なお、照明装置１としては、自動車のロービームのヘッドランプを想定しているが、ロービームに特化した部分を除き、自動車のハイビームのヘッドランプや自動車以外の他の照明装置にも適用することができる。
【００１２】
図１〜図３において、Ｚ軸方向に光が照射されるものとし、Ｙ軸方向は上下方向、Ｘ軸方向は左右方向に対応している。図１〜図３において、照明装置１は、複数の光源１１（１１Ａ、１１Ｂ、１１Ｃ）と、インナーレンズ１２と、アウターレンズ１３とを備えている。インナーレンズ１２は、第１の光学素子の一例である。アウターレンズ１３は、第２の光学素子の一例である。
【００１３】
光源１１は、インナーレンズ１２の平坦な入射面１２ａに対向して配置され、インナーレンズ１２の光源１１と反対側にはアウターレンズ１３が配置されている。なお、図示は省略されているが、光源１１は基板等により支持され、この基板やインナーレンズ１２やアウターレンズ１３もケーシング等により支持される。また、図示の例では光源１１の個数を３個としているが、これに限られない。光源１１が複数であることにより、必要な光量を容易に確保することができるとともに、後述するように、投影光の領域ごとの照度を変えることができる。
【００１４】
インナーレンズ１２は、略平板状であり、透明な樹脂やガラス等により一体形成されている。インナーレンズ１２の光源１１側の入射面１２ａは平坦となっており、アウターレンズ１３側の出射面１２ｂは湾曲した形状になっている。なお、特許文献１には光源に対応する入射面が個々の光源に対して分岐した光学素子が示されているが、本実施形態のインナーレンズ１２の入射面１２ａは分岐しておらず、平坦となっている。インナーレンズ１２の出射面１２ｂの湾曲した形状は、非球面レンズであるアウターレンズ１３の焦点位置に対応している。インナーレンズ１２の出射面１２ｂが横長に形成されることで、横長の投影光を容易につくることができる。
【００１５】
インナーレンズ１２の入射面１２ａのＹ軸方向のサイズ（厚み）は、光源１１のＹ軸方向のサイズに対応しており、インナーレンズ１２の出射面１２ｂのＹ軸方向のサイズ（厚み）は入射面１２ａのＹ軸方向のサイズよりも小さくなっている。Ｙ軸方向のサイズは、第１の方向のサイズの一例である。なお、入射面１２ａのＹ軸方向のサイズは、出射面１２ｂのＹ軸方向のサイズよりも小さくなければ小型化に反することはないため、出射面１２ｂのＹ軸方向のサイズと同じでもよい。インナーレンズ１２の入射面１２ａと出射面１２ｂとを結ぶ上面１２ｅおよび下面１２ｆは、ともにテーパ面となっている状態が図示されているが、一方が水平面で、他方がテーパ面となっていてもよい。インナーレンズ１２の入射面１２ａと出射面１２ｂとを結ぶ側面１２ｇ、１２ｈは、図示の例では互いに平行な直線状の平面となっているが、これに限られない。
【００１６】
インナーレンズ１２の出射面１２ｂは、光源１１に代わり、アウターレンズ１３に対して疑似光源として機能し、疑似光源のＹ軸方向のサイズが小さくなることで、アウターレンズ１３のサイズ（径）を小さくすることができる。
【００１７】
また、湾曲した形状の出射面１２ｂの両端側には三角プリズム形状に加工された凹凸１２ｃが設けられており、内側には円弧状プリズム形状に加工された凹凸１２ｄが設けられている。内側が円弧状プリズム形状に加工されているのは、光源１１からの光を拡散させ、輝度ムラを少なくするためである。両端側が三角プリズム形状に加工されているのは、三角プリズムによってアウターレンズ１３に向けて光の方向を変えることで光を焦点近傍にもっていくためであり、光源１１からの光の照射角度の関係から、三角プリズムで光を特定の方向に屈折・透過させている。また、湾曲した形状の出射面１２ｂの一部には、プリズム形状ではない平坦面（フラット部）が設けられてもよい。
【００１８】
また、本実施形態では、インナーレンズ１２の下端付近がアウターレンズ１３の光軸に一致するように配置されている。これは、投影光について法規等で定められるカットオフラインに対応する段差がインナーレンズ１２の下端に設けられていることによる。カットオフラインについては後述する。
【００１９】
アウターレンズ１３は、透明な樹脂やガラス等により一体形成された非球面レンズである。非球面レンズであるアウターレンズ１３の焦点位置は湾曲した形状に設計されており、インナーレンズ１２の出射面１２ｂの湾曲した形状に対応している。なお、アウターレンズ１３の湾曲した焦点位置にインナーレンズ１２の出射面１２ｂが正確に配置される必要はなく、焦点位置から意図的にずらすことでボケの効果を得ることができる。
【００２０】
図４は、アウターレンズ１３側から見たインナーレンズ１２の端面図である。図４において、インナーレンズ１２の上面１２ｅ、下面１２ｆおよび側面１２ｇ、１２ｈに囲まれた出射面１２ｂには、凹凸１２ｃおよび凹凸１２ｄが形成されるとともに、下面１２ｆの中央には、段差１２ｉが設けられている。段差１２ｉは、ロービームのヘッドランプの規格におけるカットオフラインに対応するものである。
【００２１】
図５は、照明装置１による投影光の例を示す図である。図５において、横軸は左右方向（Ｘ軸方向）の光軸に対する角度であり、中央（角度０°付近）の照度が最も高く、周辺に行くに従って照度が低くなっていくが、図示の輪郭内はほぼ照明として有効に照らされている範囲となる。なお、中央（角度０°付近）において輪郭が急激に変化している部分はカットオフラインＬであり、インナーレンズ１２の段差１２ｉ（図４）に対応しており、アウターレンズ１３により上下が反転している。
【００２２】
（第２の実施形態）
図６は、第２の実施形態に係る照明装置１の構成例を示す図であり、照明装置１の主要部の上面図（平面図）である。図６において、インナーレンズ１２の入射面１２ａと出射面１２ｂとを結ぶ側面１２ｇ、１２ｈは、外側に張り出した形状になっている。より具体的には、本実施形態の側面１２ｇ、１２ｈは、外側に湾曲状に張り出した形状になっている。その他の構成は図１〜図４と同様である。この構成によれば、光源１１Ａ〜１１Ｃから入射面１２ａを通して入った光が側面１２ｇ、１２ｈにより内側に反射されるため、外に逃げていく光を減少させ、その点で効率を向上させることができる。
【００２３】
（第３の実施形態）
図７は、第３の実施形態に係る照明装置１の構成例を示す図であり、照明装置１の主要部の上面図（平面図）である。図７において、インナーレンズ１２の入射面１２ａと出射面１２ｂとを結ぶ側面１２ｇ、１２ｈは、内側に絞られた形状になっている。より具体的には、本実施形態の側面１２ｇ、１２ｈは、内側に湾曲状に絞られた形状になっている。その他の構成は図１〜図４と同様である。この構成によれば、光源１１Ａ〜１１Ｃから入射面１２ａを通して入った光の通路が狭くなるため、インナーレンズ１２の内部における光の損失を減少させ、その点で効率を向上させることができる。
【００２４】
（第４の実施形態）
図８および図９は、第４の実施形態に係る照明装置１の構成例を示す図であり、図８は照明装置１の主要部の上面図（平面図）、図９は照明装置１の主要部の側面図である。すなわち、図８において、インナーレンズ１２の破線で示された出射面１２ｂの一端（上面１２ｅ側）に、図９に示されるように、曲面状の切欠１２ｊが設けられている。なお、インナーレンズ１２の破線で示された出射面１２ｂの一端の全体だけでなく、一部に曲面状の切欠１２ｊが設けられるものでもよい。
【００２５】
このような曲面状の切欠１２ｊがインナーレンズ１２の出射面１２ｂの一端に設けられることで、その一端からの光の出射が広範囲になり、投影光（アウターレンズ１３により上下が反転）の下端が延びる効果がある。図１０は、第４の実施形態による投影光への影響の説明図であり、投影光のうち破線で示される下側の部分が下側に延びる効果がある。
【００２６】
また、投影光の部分が下側に延びるだけでなく、投影光の色分離を防止する効果もある。すなわち、光学素子の角部においては、投影光が虹色に分離してしまう現象が生じやすいが、角部に代えて曲面状の切欠１２ｊが設けられることで、投影光の色分離が防止される。
【００２７】
なお、規格上の要請からカットオフラインＬ（図５）に対応する段差１２ｉ（図４）があるインナーレンズ１２の下面１２ｆ側には切欠１２ｊが設けられていない。これは、切欠１２ｊによりカットオフラインがボケてしまうからである。そのため、カットオフラインを明確に表現する必要がない場合には、下面１２ｆ側にも曲面状の切欠を設けてもよい。これにより、投影光の上側の部分が上側に延びる効果があるとともに、上側についても投影光の色分離が防止される。
【００２８】
（第５の実施形態）
図１１は、第５の実施形態におけるインナーレンズ１２の構成例を示す端面図である。図１１において、インナーレンズ１２の上面１２ｅは、中央部から端部に向かって先細りとなるテーパ１２ｅ１、１２ｅ２となっており、出射面１２ｂの厚みは中央部と端部とで異なり、中央部よりも端部が薄くなっている。図１２は、第５の実施形態による投影光への影響の説明図であり、出射面１２ｂの形に応じ、投影光の輪郭における破線で示される下側の端の部分が上に上がることになる。
【００２９】
（第６の実施形態）
図１３は、第６の実施形態におけるインナーレンズ１２の構成例を示す端面図である。図１３において、インナーレンズ１２の上面１２ｅは、中央部から端部に向かって厚みが増すテーパ１２ｅ１、１２ｅ２となっており、出射面１２ｂの厚みは中央部と端部とで異なり、中央部よりも端部が厚くなっている。この場合、出射面１２ｂの形に応じ、図１２における投影光の輪郭における破線で示される下側の端の部分が下に下がることになる。
【００３０】
（第７の実施形態）
図１４は、第７の実施形態に係る照明装置１の構成例を示す図である。図１４において、インナーレンズ１２の入射面１２ａと出射面１２ｂとを結ぶ側面は、アウターレンズ１３側の側面１２ｇ、１２ｈと、光源１１Ａ〜１１Ｃ側の側面１２ｍ、１２ｎとから形成されている。そして、アウターレンズ１３側の側面１２ｇ、１２ｈは、光軸に沿って直線状に形成されている。なお、アウターレンズ１３側の側面１２ｇ、１２ｈは、外側に張り出した形状または内側に絞られた形状に形成されてもよい。また、光源１１Ａ〜１１Ｃ側の側面１２ｍ、１２ｎは、光源１１Ａ〜１１Ｃ側に向かって直線状に幅が狭くなるよう形成されている。なお、光源１１Ａ〜１１Ｃ側の側面１２ｍ、１２ｎは、光源１１Ａ〜１１Ｃ側に向かって外側に例えば湾曲状に張り出した形状または内側に例えば湾曲状に絞られた形状で幅が狭くなるよう形成されてもよい。その他の構成は前述した実施形態と同様である。
【００３１】
光源１１Ａ〜１１Ｃ側の側面１２ｍ、１２ｎが光源１１Ａ〜１１Ｃ側に向かって幅が狭くなるよう形成されることで、光源１１Ａ〜１１Ｃから入射面１２ａを通して入った光が側面１２ｍ、１２ｎにより出射面１２ｂの中心に向けて反射されるため、投影光の中央付近の照度を上げる効果がある。
【００３２】
（第８の実施形態）
図１５は、第８の実施形態に係る照明装置１の構成例を示す図である。図１５において、アウターレンズ１３側の側面１２ｇ、１２ｈには、例えば、円弧状プリズム形状に加工された凹凸１２ｏ、１２ｐが設けられている。その他の構成は前述した図１４で示した実施形態と同様である。
【００３３】
アウターレンズ１３側の側面１２ｇ、１２ｈに凹凸１２ｏ、１２ｐが設けられたことで、投影光の左右方向の端部の照度を急激に変化せずに、ぼやかす効果がある。
【００３４】
図１６は、照明装置１（１−１、１−２）の配置例を示す図であり、照明装置１−１と照明装置１−２とを並べて配置したものである。ここで、例えば、照明装置１−１をワイド配光に設定し、照明装置１−２をナロー配光に設定し、両者の投影光が規定の距離において重なるように調整する。なお、３台以上の照明装置を並べて配置してもよい。また、真横に並べるだけでなく、投影方向に対して前後して配置してもよい。
【００３５】
図１７は、インナーレンズ１２の側面に凹凸がない場合とある場合との投影光の例を示す図である。図１７において、左段は図１４の実施形態のようにアウターレンズ１３側の側面１２ｇ、１２ｈに凹凸が設けられていない場合、右段は図１５の実施形態のようにアウターレンズ１３側の側面１２ｇ、１２ｈに凹凸１２ｏ、１２ｐが設けられた場合である。また、上段はワイド配光の場合の投影光、中段はナロー配光の場合の投影光、下段はワイド配光とナロー配光とをミックスした場合の投影光である。凹凸１２ｏ、１２ｐの有無による違いが顕著なのは、中段のナロー配光の場合の投影光であり、凹凸なしでは投影光の左右方向の端部の照度が急激に変化してしまっているが、凹凸ありでは投影光の左右方向の端部の照度がぼけて急激な変化が緩和されている。
【００３６】
図１８は、インナーレンズ１２の側面に凹凸がない場合とある場合との投影光の角度に対する強度の例を示す図である。図１８において、−２０°付近と＋２０°付近の角度における強度が、凹凸なしの場合に比べ、凹凸ありの場合は緩やかになっている。
【００３７】
（第９の実施形態）
図１９は、第９の実施形態における光源１１Ａ〜１１Ｃを駆動する回路構成例を示す図である。図１９において、光源１１Ａ〜１１Ｃにはそれぞれ駆動回路２１Ａ〜２１Ｃから駆動電源が供給され、駆動回路２１Ａ〜２１Ｃは制御回路２２により動作が制御されるようになっている。
【００３８】
図２０は、光源１１Ａ〜１１Ｃから出た光の進路の例を示す図であり、光源１１Ｂから出た光はほぼ中央に出射され、光源１１Ａから出た光は側面１２ｇによる反射で光源１１Ａが設けられた側とは反対側に出射され、光源１１Ｃから出た光は側面１２ｈによる反射で光源１１Ｃが設けられた側とは反対側に出射される。図２１は、第９の実施形態による投影光への影響の説明図であり、領域Ｒ１は主に光源１１Ａから出射された光による投影像、領域Ｒ２は主に光源１１Ｂから出射された光による投影像、領域Ｒ３は主に光源１１Ｃから出射された光による投影像となる。
【００３９】
ここで、図１９の制御回路２２は、例えば、照明装置１が搭載される自動車の速度に応じて制御を行い、低速域では光源１１Ａおよび光源１１Ｃの出力を相対的に上げることで、図２１における領域Ｒ１および領域Ｒ３の照度を高める。これにより、歩道側の視認性を高める。また、制御回路２２は、高速域では光源１１Ａおよび光源１１Ｃの出力を相対的に下げることで領域Ｒ２の照度を高める。これにより、遠方の視認性を高める。
【００４０】
以上、本発明の実施形態について説明したが、本発明は上記実施形態に限定されるものではなく、その趣旨を逸脱しない限りにおいて種々の変更が可能である。
【００４１】
以上のように、実施形態に係る照明装置は、光源と、光源からの光の配光を制御する第１の光学素子と、第１の光学素子から出射した光を投影する第２の光学素子と、を備え、第１の光学素子は、光源に対向する入射面の光軸に直交する第１の方向のサイズが、第２の光学素子に対向する出射面の第１の方向のサイズ以上である。これにより、小型化に適したものとすることができる。
【００４２】
また、第１の光学素子は、光源に対向する入射面の光軸に直交する第１の方向のサイズよりも、第２の光学素子に対向する出射面の第１の方向のサイズが小さい。これにより、小型化により適したものとすることができる。
【００４３】
また、第１の光学素子の出射面は、光軸および第１の方向と直交する第２の方向において、第２の光学素子の焦点に対応して湾曲している。これにより、横長の投影光を容易につくることができる。
【００４４】
また、第１の光学素子は、出射面の一部にプリズム加工された凹凸を有する。これにより、出射面から出射される光を拡散させることができ、投影光のムラを減少させることができる。
【００４５】
また、出射面の両端側には三角プリズムの凹凸が形成され、内側には円弧状プリズムの凹凸が形成される。これにより、投影光のムラを容易に減少させることができる。
【００４６】
また、第１の光学素子の出射面は、第１の方向における一端または両端に曲面状の切欠を有する。これにより、第１の方向に対して投影光を延伸させることができる。
【００４７】
また、光源は複数であり、複数の光源は第１の光学素子の入射面に対向して分散して配置される。これにより、必要な光量を容易に確保することができる。
【００４８】
また、複数の光源は、個別に光量が制御される。これにより、投影光の領域ごとの照度を変えることができる。
【００４９】
また、第１の光学素子の出射面は、第１の方向と直交する第２の方向に対して、第１の方向の厚みが変えられている。これにより、第１の方向に対する投影光の伸び縮みを調整することができる。
【００５０】
また、第１の光学素子の光源に対向する入射面と第２の光学素子に対向する出射面とを結ぶ側面は、光軸に沿って直線状、外側に張り出した形状または内側に絞られた形状に形成される。これにより、第１の光学素子内における光の経路を調整することができる。
【００５１】
また、第１の光学素子の光源に対向する入射面と第２の光学素子に対向する出射面とを結ぶ側面は、第２の光学素子側の側面と光源側の側面とを有し、第２の光学素子側の側面は、光軸に沿って直線状、外側に張り出した形状または内側に絞られた形状に形成され、光源側の側面は、光源側に向かって直線状、外側に張り出した形状または内側に絞られた形状で幅が狭くなるよう形成される。これにより、投影光の中央付近の照度を上げることができる。
【００５２】
また、第２の光学素子側の側面には、円弧状プリズムの凹凸が形成される。これにより、投影光の左右方向の端部の照度を急激に変化せずに、ぼやかすことができる。
【００５３】
また、上記実施の形態により本発明が限定されるものではない。上述した各構成素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００５４】
１、１−１、１−２  照明装置，１１、１１Ａ〜１１Ｃ  光源，１２  インナーレンズ，１２ａ  入射面，１２ｂ  出射面，１２ｃ、１２ｄ  凹凸，１２ｅ１、１２ｅ２  テーパ，１３  アウターレンズ，２１Ａ〜２１Ｃ  駆動回路，２２  制御回路
【図１】
2020170687.tif 000003
【図２】
2020170687.tif 000004
【図３】
2020170687.tif 000005
【図４】
2020170687.tif 000006
【図５】
2020170687.tif 000007
【図６】
2020170687.tif 000008
【図７】
2020170687.tif 000009
【図８】
2020170687.tif 000010
【図９】
2020170687.tif 000011
【図１０】
2020170687.tif 000012
【図１１】
2020170687.tif 000013
【図１２】
2020170687.tif 000014
【図１３】
2020170687.tif 000015
【図１４】
2020170687.tif 000016
【図１５】
2020170687.tif 000017
【図１６】
2020170687.tif 000018
【図１７】
2020170687.tif 000019
【図１８】
2020170687.tif 000020
【図１９】
2020170687.tif 000021
【図２０】
2020170687.tif 000022
【図２１】
2020170687.tif 000023